(57)【要約】【課題】回転体を効率的に冷却することができる光源装置およびこれを備えたプロジェクタを提供すること。【解決手段】光源装置は、光源ユニットと、回転体と、通風構造とを具備する。前記光源ユニットは、光源と、前記光源からの光を集光位置に集光させる光学素子と、前記集光位置に開口を有し前記光源および前記光学素子を収容する収容体とを含む。前記回転体は、前記集光位置に集光され前記開口を介して前記収容体外に出射された光が照射される波長変換領域を有し、回転軸に対して回転可能に設けられる。前記通風路には、前記回転体の少なくとも一部が配置される。【選択図】図３
2016133671.tif 000002
【特許請求の範囲】
【請求項１】
光源と、前記光源からの光を集光位置に集光させる光学素子と、前記集光位置に開口を有し前記光源および前記光学素子を収容する収容体とを含む光源ユニットと、
前記集光位置に集光され前記開口を介して前記収容体外に出射された光が照射される光照射領域に配置された波長変換領域を有し、回転軸に対して回転可能に設けられた回転体と、
前記回転体の少なくとも一部が配置される通風路と
を具備する光源装置。
【請求項２】
請求項１に記載の光源装置であって、
前記通風路は、前記回転体の領域のうち前記光照射領域とは異なる領域に冷却風が供給されるように構成されている
光源装置。
【請求項３】
請求項２に記載の光源装置であって、
前記回転体の領域のうち、前記回転軸を中心として、前記光照射領域からの回転角度９０°〜２７０°の領域のうち少なくとも一部の領域に面する空間を通る風量が最も多くなるように、前記通風路が構成されている
光源装置。
【請求項４】
請求項２に記載の光源装置であって、
前記回転体の領域のうち、前記回転軸に対して前記光照射領域と対向する領域に面する空間を通る風量が最も多くなるように、前記通風路が構成されている
光源装置。
【請求項５】
請求項１に記載の光源装置であって、
前記光照射領域から出射した光が入射するレンズユニットをさらに具備し、
前記レンズユニットの一部が、前記通風路を形成する通風構造の一部として構成される
光源装置。
【請求項６】
請求項２に記載の光源装置であって、
前記冷却風が前記回転体の回転方向に沿って供給されるように、前記通風路が構成されている
光源装置。
【請求項７】
請求項１に記載の光源装置であって、
前記収容体の一部が、前記通風路を形成する通風構造の一部として構成される
光源装置。
【請求項８】
請求項２に記載の光源装置であって、
前記通風路は、前記冷却風が前記回転体の少なくとも一部に供給される領域の前後にわたって直線状に構成されている
光源装置。
【請求項９】
請求項１に記載の光源装置であって、
前記開口に対面するように、または前記開口内に配置された光拡散板をさらに具備する
光源装置。
【請求項１０】
請求項１に記載の光源装置であって、
前記回転体は、前記光が入射する側の第１の面と、前記第１の面の反対側の第２の面とを有し、
前記回転軸方向における前記第２の面側の幅が、前記回転軸方向における前記第１の面側の幅より広くなるように、前記通風路が構成されている
光源装置。
【請求項１１】
請求項５に記載の光源装置であって、
前記レンズユニットは、前記通風構造に着脱可能に構成されている
光源装置。
【請求項１２】
光源と、前記光源からの光を集光位置に集光させる光学素子と、前記集光位置に開口を有し前記光源および前記光学素子を収容する収容体とを含む光源ユニットと、
前記集光位置に集光され前記開口を介して前記収容体外に出射された光が照射される光照射領域に配置された波長変換領域を有し、回転軸に対して回転可能に設けられた回転体と、
前記回転体の少なくとも一部が配置される通風路と、
前記通風路内へ冷却風を供給するファンと、
前記回転体の波長変換領域から出射された光を変調する光変調素子と、
前記光変調素子で変調されて得られる変調光を投射する投射光学系と
を具備するプロジェクタ。
【発明の詳細な説明】
【技術分野】
【０００１】
本技術は、光源装置およびこれを備えたプロジェクタに関する。
【背景技術】
【０００２】
特許文献１に記載のプロジェクタの光源装置は、所定の回転軸を中心に回転可能とされた基板と、蛍光体を含んで基板に設けられた蛍光体層とを有する蛍光体ホイールを備え、この蛍光体ホイールに光を照射して、蛍光光を得るタイプの光源装置である。この光源装置は、光源と、光源から射出された励起光を蛍光体層に集光するように照射させる集光光学系と、蛍光体ホイールを収容して外部と遮断する密閉空間が形成されたケーシングとを備える。このように、密閉空間内に蛍光体ホイールが収容されることで、蛍光体層に埃が直接付着することが防止される（例えば、特許文献１の明細書段落［０００６］、［００１７］参照。）。
【先行技術文献】
【特許文献】
【０００３】
【特許文献１】特開2012-18762号公報
【発明の概要】
【発明が解決しようとする課題】
【０００４】
特許文献１の光源装置では、蛍光体ホイールが密閉空間内に収容されるので、密閉空間内に、光源からの熱が蓄積されやすいという問題がある。この熱の問題を解決するために、この光源装置は、ケーシングの外周面に放熱用のフィンが形成される構成、あるいは、密閉空間内の空気を流動させるための羽根が蛍光体ホイールの基板に形成される構成を採用している。しかしながら、密閉空間内に配置された蛍光体ホイールを効率良く冷却することは難しい。
【０００５】
以上のような事情に鑑み、本技術の目的は、回転体を効率的に冷却することができる光源装置およびこれを備えたプロジェクタを提供することにある。
【課題を解決するための手段】
【０００６】
上記目的を達成するため、本技術に係る光源装置は、光源ユニットと、回転体と、通風構造とを具備する。
前記光源ユニットは、光源と、前記光源からの光を集光位置に集光させる光学素子と、前記集光位置に開口を有し前記光源および前記光学素子を収容する収容体とを含む。
前記回転体は、前記集光位置に集光され前記開口を介して前記収容体外に出射された光が照射される波長変換領域を有し、回転軸に対して回転可能に設けられる。
前記通風路には、前記回転体の少なくとも一部が配置される。
この光源装置では、回転体への光照射領域に配置された波長変換領域が、光源ユニットの収容体の外側に配置され、かつ、通風路内に回転体の少なくとも一部が配置される。すなわち、通風路内で回転体に冷却風が供給されることにより、効率良く回転体を冷却することができ、また、収容体内には送風されないので、塵埃が収容体内に進入することを防止することができる。
【０００７】
前記通風路は、前記回転体の領域のうち前記光照射領域とは異なる領域に冷却風が供給されるように構成されていてもよい。
光照射領域およびその反対側の光出射領域の近傍には光学部品が配置される。これらの領域とは異なる回転体領域に送風されることにより、光学部品に塵埃が付着することを抑制することができる。
【０００８】
前記回転体の領域のうち、前記回転軸を中心として、前記光照射領域からの回転角度９０°〜２７０°の領域のうち少なくとも一部の領域に面する空間を通る風量が最も多くなるように、前記通風路が構成されていてもよい。
【０００９】
前記回転体の領域のうち、前記回転軸に対して前記光照射領域と対向する領域に面する空間を通る風量が最も多くなるように、前記通風路が構成されていてもよい。
【００１０】
前記光源装置は、前記光照射領域から出射した光が入射するレンズユニットをさらに具備してもよい。また、前記レンズユニットの一部が、前記通風路を形成する通風構造の一部として構成されてもよい。
これにより、レンズユニットを利用して、光照射領域および光出射領域から離れた回転体領域で小さい流路抵抗を持つ通風構造を構成することができる。
【００１１】
前記冷却風が前記回転体の回転方向に沿って供給されるように、前記通風路が構成されている。
これにより、乱流を発生を抑えることができる。
【００１２】
前記収容体の一部が、前記通風路を形成する通風構造の一部として構成されていてもよい。
【００１３】
前記通風路は、前記冷却風が前記回転体の少なくとも一部に供給される領域の前後にわたって直線状に構成されていてもよい。
これにより、風の流路抵抗を小さくすることができる。
【００１４】
前記光源装置は、前記開口に対面するように、または前記開口内に配置された光拡散板をさらに具備してもよい。
光拡散板が設けられることにより、均一な照度を持つ光を光源ユニットの収容体から出射させることができる。
【００１５】
前記回転体は、前記光が入射する側の第１の面と、前記第１の面の反対側の第２の面とを有していてもよい。前記回転軸方向における、前記通風路の前記第２の面側の幅が、前記回転軸方向における前記第１の面側の幅より広くなるように、前記通風路が構成されていてもよい。
【００１６】
前記レンズユニットは、前記通風構造に着脱可能に構成されていてもよい。
これにより、レンズユニットのメンテナンス、交換等が容易になる。また、レンズユニットが外された状態で、通風路内のクリーニングが容易になる。
【００１７】
本技術に係るプロジェクタは、上述した光源装置と、ファンと、光変調素子と、投射光学系とを有する。
前記ファンは、前記通風路内へ冷却風を供給するように構成される。
前記光変調素子は、前記回転体の波長変換領域から出射された光を変調するように構成される。
前記投射光学系は、前記光変調素子で変調されて得られる変調光を投射するように構成される。
【発明の効果】
【００１８】
以上、本技術によれば、回転体を効率的に冷却することができる。
なお、ここに記載された効果は必ずしも限定されるものではなく、本開示中に記載されたいずれかの効果であってもよい。
【図面の簡単な説明】
【００１９】
【図１】図１は、本技術の一実施形態に係る光源装置を示す斜視図である。
【図２】図２は、図１に示す光源装置をｙ方向から見た正面図である。
【図３】図３は、図２におけるＡ−Ａ線の一部断面図である。
【図４】図４は、図２におけるＢ−Ｂ線の一部断面図である。
【図５】図５は、送風量が比較的多くなるホイール領域の角度範囲を説明する図である。
【図６】図６は、光源装置を用いたプロジェクタの光学系の構成を示す。
【発明を実施するための形態】
【００２０】
以下、本技術に係る実施形態を、図面を参照しながら説明する。
【００２１】
［光源装置］
図１は、本技術の一実施形態に係る光源装置を示す斜視図である。この光源装置１００は、光源ユニット５０と、光源ユニット５０からの光が入射し、所望の波長域の光を出射する、回転軸に対して回転可能な回転体としてのホイール４１と、ホイール４１から出射した光を、光源装置１００外に取り出すレンズユニット１０と、光源ユニット５０に設けられた通風構造３０とを備える。
【００２２】
以下では、説明の便宜上、レンズユニット１０の光軸を主光軸とし、この主光軸に沿う方向をｙ方向とする。また、ｙ軸に直交する２軸をｘ、ｚ軸とする。
【００２３】
図２は、光源装置１００をｙ方向から見た正面図である。図３は、図２におけるＡ−Ａ線の一部断面図である。図４は、図２におけるＢ−Ｂ線の一部断面図である。
【００２４】
光源ユニット５０は、収容体５６を有し、収容体５６内に主な光学系を有している。図３に示すように、収容体５６は、ｚ方向から見て概略台形状に構成されている。収容体５６内には、複数の光源５１ａと、これら光源５１ａからの光を所定の集光位置に集光させる光学素子（例えば複数）とを有する。
【００２５】
この光源ユニット５０は、例えば２つの光源アセンブリ５１を備える。２つの光源アセンブリ５１は、ｙ方向に沿う主光軸に対して線対称位置に配置されている。１つの光源アセンブリ５１は、マトリクス状に配置された複数の光源５１ａと、これら複数の光源５１ａがそれぞれ実装された基板５１ｂとを含む。光源５１ａとしては、例えば青色のレーザ光源が用いられる。光源アセンブリ５１は、各光源５１ａの配列面をｘ−ｚ平面に一致させるように、収容体５６に取り付けられている。
【００２６】
説明の便宜上、また、光源装置１００のうち、ｙ方向でレンズユニット１０が配置される側を前部または前面とし、その光源アセンブリ５１が配置される側を後部または背面とする。
【００２７】
光源アセンブリ５１が、収容体５６の後部側の一部を構成する部材として用いられてもよい。光源アセンブリ５１の後部側には図示しない放熱フィン等で構成されるヒートシンクが接続されていてもよい。この場合、このヒートシンクが収容体５６の後部側の一部または全部を構成していてもよい。
【００２８】
収容体５６内に配置された光学素子として、非球面ミラー５５および平面ミラー５３が設けられている。非球面ミラー５５は、各光源５１ａから出射された光を平面ミラー５３へ向けて反射する。平面ミラー５３は、上述した所定の集光位置へ向けて、非球面ミラー５５からの光を反射する。非球面ミラー５５および平面ミラー５３は、それぞれ２つずつ設けられ、光源アセンブリ５１の配置に応じて、主光軸に線対称位置に配置されている。
【００２９】
収容体５６の前部に設けられた前カバー板５６ａには、集光位置に配置された開口５６ｂが設けられている。平面ミラー５３で反射された光がこの開口５６ｂを介して収容体５６外へ取り出される。例えば開口５６ｂを覆うように光拡散板（以下、単に「拡散板」と言う。）５２が設けられている。拡散板５２は、入射光を拡散させて均一な照度の光を発生させる機能を有する。
【００３０】
拡散板５２は、前カバー板５６ａに取り付けられていてもよいし、図示しない取付部材によって収容体５６に取り付けられていてもよい。あるいは、拡散板５２は、開口５６ｂ内に嵌め込まれるように前カバー板５６ａに取り付けられていてもよいし、収容体５６の内側から前カバー板５６ａに取り付けられていてもよい。
【００３１】
図３、４に示すように、拡散板５２に対向する位置には、レンズユニット１０が配置されている。本実施形態では、拡散板５２の中心をレンズユニット１０の光軸（主光軸）が通るように、それらが配置されている。レンズユニット１０は、例えばレンズ筐体内に複数のレンズ１２を有し、コリメート光学系を構成する。
【００３２】
ホイール４１は、収容体５６の外側であって、拡散板５２とレンズユニット１０との間に配置されている。ホイール４１は、これを回転駆動するモータ４４に接続されており、ホイール４１およびモータ４４によりホイールユニット４０が構成される。モータ４４の回転軸がｙ方向に沿うようにホイールユニット４０は配置されている。
【００３３】
図２に示すように、ホイール４１は、例えば円盤状のガラス基板４２を有する。ホイール４１（ガラス基板４２）は、拡散板５２から出射される光が入射する（照射される）背面側である第１の面と、その反対の前面側である第２の面とを有する。ホイール４１は、第２の面側に環状に形成された蛍光体４３を有する。
【００３４】
図３、４に示すように、主光軸が、ホイール４１の、蛍光体４３が形成される環状の領域の一部を通るように、ホイールユニット４０が配置されている。例えば、本実施形態では、ホイール４１の蛍光体４３が形成される環状の領域のうち、ｚ方向で最も高い位置を主光軸が通るように、ホイールユニット４０が配置されている。
【００３５】
ガラス基板４２のうち、上述したように第１の面に拡散板５２を出射した光が入射する。入射した光はガラス基板４２を透過し、蛍光体４３に入射することにより、蛍光体４３が白色に発光する。ガラス基板４２において、蛍光体４３の反対側であって主光軸が通る領域を含む領域が光照射領域４１ａとなり、蛍光体４３のうち光入射する領域およびその近傍が光出射領域４１ｂとなる（図４参照）。
【００３６】
具体的には、青色のレーザ光の一部が励起光として蛍光体４３を励起することによって、蛍光体４３は青色と黄色の光を発生し、これらの色の光が合成されて白色光が生成される。つまり、蛍光体４３は光の波長変換領域として機能する。
【００３７】
なお、モータ４４は、収容体５６に接続された図示しない固定部材により固定されている。あるいは、モータ４４は、通風構造３０を構成する部材に接続されていてもよい。
【００３８】
通風構造３０は、収容体５６の外側であってその前部に配置された通風路部３１を有する。通風構造３０は、この通風路部３１内に形成された通風路３１ａ内にホイール４１が配置されるように構成されている。通風構造３０は、冷却風の入口３１ｂとこれに対向する出口３１ｃとを有し、通風路３１ａは入口３１ｂから出口３１ｃにわたって（冷却風が前記回転体の少なくとも一部に供給される領域の前後にわたって）直線状に構成されている。これにより、空気の流路抵抗を小さくすることができる。
【００３９】
通風路３１ａは、その長手方向（ｘ方向）がホイール４１の面（上述の第１の面および第２の面）に沿って形成された空間領域である。通風路部３１は、上部に切欠き部３１ｄを有する。切欠き部３１ｄは開口されており、レンズユニット１０がこの切欠き部３１ｄ上に配置されてこの開口を塞ぐように設けられている。すなわち、レンズユニット１０の一部が、通風路３１ａを形成する通風構造３０の一部として構成される。
【００４０】
なお、通風構造３０は、この通風路部３１と一体的に形成された底板部３２を有する。底板部３２は、例えば収容体５６の底の全部または一部を構成する部材であり、ネジ止めにより収容体５６の他の部材に接続されている。すなわち、収容体５６の一部が、通風路３１ａを形成する通風構造３０の一部として構成されている。通風路部３１は、底板部３２とは別体かつ単体で、収容体５６に接続されていてもよいし、あるいは底板部３２は無くてもよい。
【００４１】
図６に示すように、通風路部３１の入口３１ｂ付近に、通風路３１ａへ送風するファン６０が設けられている。図６は、後でも説明するが、プロジェクタ２００の光学系の構成を示す。ファン６０は、例えば軸流ファンであるが、遠心ファンやその他のファンであってもよい。
【００４２】
ファン６０は、プロジェクタ２００の外筐２０１に設けられた図示しない吸入口を介して取り入れた空気（冷却風）を、入口３１ｂを介して通風路３１ａ内へ供給する。通風路３１ａ内を通り、ホイール４１を冷却し、出口３１ｃから排出される。出口３１ｃから排出された空気は、図示しないが、例えば外筐２０１の底部に設けられた排気口や図示しない経路を介して到達可能な排気口から排出される。
【００４３】
上記したように、レンズユニット１０の一部が、通風構造３０の一部として構成されている。したがって、図２、４に示すように、通風路３１ａとしては、ホイール４１の領域のうち光照射領域（光出射領域でもよい）とは異なるホイール領域（回転体領域）に送風されるように構成されている。
【００４４】
図５は、送風量が比較的多くなるホイール領域の角度範囲を説明する図である。例えば、符号Ｄのハッチングで示すように、ホイール４１のおおよそ下半分の領域のうち少なくとも一部に面する空間を通る風量が最も多くなるように、通風路３１ａが構成されている。
【００４５】
具体的には、ホイール領域のうち、回転軸を中心として、光照射領域４１ａから回転角度９０°〜２７０°の領域のうち少なくとも一部の領域を通る風量が最も多くなるように、通風路３１ａが構成されている。すなわち、光照射領域４１ａまたは光出射領域４１ｂの角度位置の中心位置を０°とした場合、それら光照射領域４１ａまたは光出射領域４１ｂから一方向へ回転角度９０°〜２７０°離れた領域のうちの少なくとも一部の領域を通る風量が最も多くなるように、通風路３１ａが構成されている。
【００４６】
好ましくは、その範囲は１３０°〜２３０°、あるいは１６０°〜２００°である。すなわち、より好ましくは、通風路３１ａ内において、回転軸に対して光照射領域４１ａと対向する領域に面する空間を通る風量が最も多くなるように、通風路３１ａが構成されている。
【００４７】
以上のような通風路３１ａは、例えば上記のように、レンズユニット１０の一部が通風構造３０の一部として構成されることにより実現される。
【００４８】
このように、光照射領域およびその反対側の光出射領域の近傍には、拡散板５２およびレンズユニット１０などの光学部品が配置される。これらの光照射領域および光出射領域とは異なるホイール領域に冷却風が供給されることにより、これによって運ばれる塵埃は、当該領域から離れたホイール領域の近傍を通過して出口３１ｃから排出される。したがって、それら拡散板５２やレンズユニット１０のレンズ１２に塵埃が付着することを抑制することができる。特に、拡散板５２の領域には最も光量が多くなる領域であり、塵埃が拡散板５２に付着すると、拡散板５２が焼き付き、光学特性が劣化するおそれがあるが、本実施形態によればこのような事態を防止できる。
【００４９】
また、通風路３１ａは、光照射領域および光出射領域から離れた位置では、光学部品が無いため、流路抵抗を小さくすることができる。したがって、光照射領域から離れたホイール領域に送風されることにより、効率良くホイール４１を冷却することができる。
【００５０】
図４に示すように、通風路３１ａの第２の面側におけるｙ方向における幅が、第１の面側のｙ方向の幅より広くなるように、通風路３１ａが構成されている。ホイール４１の第１の面側には、拡散板５２が配置されるので、第２の面側の通風路３１ａの幅が大きく形成されることにより、拡散板５２にできるだけ塵埃が運ばれないようにすることができ、拡散板５２への塵埃の付着を防止できる。
【００５１】
図２のように光源装置１００を正面から見て、例えばホイール４１は時計回りに回転するようになっている。上記のように光照射領域からの回転角度９０°〜２７０°の領域、特に１８０°の領域では、このホイール４１の回転方向（矢印αで示す）に沿って送風されるように、通風路３１ａが構成され、また、ファン６０が配置される。これにより、乱流の発生を抑え、塵埃をスムーズに出口３１ｃから排出することができる。
【００５２】
レンズユニット１０は、収容体５６および／または通風路部３１に着脱可能に構成されている。例えば、上記のように、レンズユニット１０は、通風路部３１の上部の切欠き部３１ｄに係合するように載置されて通風路部３１に装着されている。この着脱手段としては、例えばネジや、その他の係合構造がある。なお、図４に示すように、レンズユニット１０の上部には、着脱可能なカバー１４が取り付けられる。
【００５３】
レンズユニット１０が着脱可能に構成されることにより、レンズユニット１０のメンテナンス、交換等が容易になる。また、レンズユニット１０が外された状態で、通風路３１ａ内のクリーニングが容易になる。
【００５４】
また、通風路部３１には切欠き部３１ｄが設けられ、レンズユニット１０がその切欠き部３１ｄに係合するように装着されるので、レンズユニットの装着時の位置決めが容易となる。
【００５５】
［プロジェクタ］
図６は、上記光源装置１００を用いたプロジェクタ２００の光学系の構成を示す。プロジェクタ２００は、光源装置１００と、光源装置１００から出射される光を利用して画像光を生成する光学エンジン８０を有している。
【００５６】
（光学エンジンの構成）
光学エンジン８０は、ダイクロイックミラー２１０、２２０、ミラー２３０、２４０および２５０、リレーレンズ２６０および２７０、フィールドレンズ３００Ｒ、３００Ｇおよび３００Ｂ、光変調素子としての液晶ライトバルブ４００Ｒ、４００Ｇおよび４００Ｂ、ダイクロイックプリズム５００および投射光学系６００を含んでいる。
【００５７】
ダイクロイックミラー２１０および２２０は、所定の波長域の色光を選択的に反射し、それ以外の波長域の光を透過させる性質を有する。例えば、ダイクロイックミラー２１０が、赤色光を選択的に反射する。ダイクロイックミラー２２０は、ダイクロイックミラー２１０を透過した緑色光および青色光のうち、緑色光を選択的に反射する。残る青色光が、ダイクロイックミラー２２０を透過する。これにより、光源装置１００から出射された光が、異なる色の複数の色光に分離される。
【００５８】
ダイクロイックミラー２１０に反射された赤色光は、ミラー２３０により反射され、フィールドレンズ３００Ｒを通ることによって平行化された後、赤色光の変調用の液晶ライトバルブ４００Ｒに入射する。ダイクロイックミラー２２０に反射された緑色光は、フィールドレンズ３００Ｇを通ることによって平行化された後、緑色光の変調用の液晶ライトバルブ４００Ｇに入射する。ダイクロイックミラー２２０を透過した青色光は、リレーレンズ２６０を通ってミラー２４０により反射され、さらにリレーレンズ２７０を通ってミラー２５０により反射される。ミラー２５０により反射された青色光は、フィールドレンズ３００Ｂを通ることによって平行化された後、青色光の変調用の液晶ライトバルブ４００Ｂに入射する。
【００５９】
液晶ライトバルブ４００Ｒ、４００Ｇおよび４００Ｂは、画像情報を含んだ画像信号を供給する図示しない信号源（例えばＰＣ等）と電気的に接続されている。液晶ライトバルブ４００Ｒ、４００Ｇおよび４００Ｂは、供給される各色の画像信号に基づき、入射光を画素毎に変調し、それぞれ赤色画像、緑色画像および青色画像を生成する。変調されて得られる各色の画像光（変調光）は、ダイクロイックプリズム５００に入射して合成される。ダイクロイックプリズム５００は、３つの方向から入射した各色の光を重ね合わせて合成し、投射光学系６００に向けて出射する。
【００６０】
投射光学系６００は、ダイクロイックプリズム５００によって合成された光を図示しないスクリーンに照射する。これにより、フルカラーの画像が表示される。
【００６１】
上述したように、光源装置１００の通風路部３１の近傍にはファン６０が配置されている。ファン６０は、例えばプロジェクタ２００の外筐２０１の外部から取り入れた空気を、通風路３１ａ内に供給する。外筐２０１の形状はどのような形状にも設計可能である。
【００６２】
［他の種々の実施形態］
【００６３】
本技術は、以上説明した実施形態に限定されず、他の種々の実施形態を実現することができる。
【００６４】
上記実施形態に係る通風路部３１は、ホイール４１の少なくとも下半分を収容するように構成されていた。しかし、通風路部３１は、さらに小さいホイール領域を収容するように構成されていてもよい。
【００６５】
また、上記実施形態に係る通風路部３１には切欠き部３１ｄが形成され、レンズユニット１０の一部が通風路部３１の一部を構成していた。しかし、レンズユニット１０は通風構造と独立して設けられていてもよい。例えば切欠き部は無く、上記実施形態より小さい容積の通風路を形成する通風路部がレンズユニット１０の下部（ホイール領域の下半分を収容するように）に独立して配置されていてもよい。
【００６６】
上記実施形態では、拡散板５２は、収容体５６に取り付けられていたが、例えばレンズユニットの一部として、レンズユニットに組み込まれていてもよい。この場合、ホイール４１とレンズユニットとが干渉しないように、ホイール４１の一部がレンズユニット入り込むためのスリットがレンズユニットに形成される。
【００６７】
ホイール４１に設けられる波長変換領域として、蛍光体４３ではなく、カラーホイールで採用されるカラーフィルタであってもよい。ホイール４１の外形は円形に限られず、例えば正多角形などの回転対称形状であってもよい。
【００６８】
上記実施形態に係る光源５１ａは、レーザ光源であったが、ＬＥＤ（Light Emitting Diode）であってもよい。この場合、ＬＥＤ光源からの光をホイール４１の蛍光体４３に集光する別の光学系が設けられる。
【００６９】
光源ユニット５０の収容体５６の形状、構造は、上述したものに限られず、種々の設計の変更が可能である。例えば、収容体５６が上記実施形態のように実質的に密閉される形態ではなく、一部が開放される形態であってもよい。
【００７０】
光源アセンブリ５１は上記実施形態のように複数設けられる必要はなく、１つであってもよい。
【００７１】
光源５１ａと、拡散板５２との間の集光のための光学素子も、上記実施形態に限られない。集光のための光学素子の１つとして、単一の光学素子が用いられてもよいし、プリズム等の他の光学素子が用いられてもよい。
【００７２】
上記実施形態に係るプロジェクタ２００の光変調素子として液晶素子が用いられたが、これに代えて、ＤＭＤ（Digital Micro-mirror Device）が用いられてもよい。
【００７３】
以上説明した各形態の特徴部分のうち、少なくとも２つの特徴部分を組み合わせることも可能である。
【００７４】
なお、本技術は以下のような構成もとることができる。
（１）
光源と、前記光源からの光を集光位置に集光させる光学素子と、前記集光位置に開口を有し前記光源および前記光学素子を収容する収容体とを含む光源ユニットと、
前記集光位置に集光され前記開口を介して前記収容体外に出射された光が照射される光照射領域に配置された波長変換領域を有し、回転軸に対して回転可能に設けられた回転体と、
前記回転体の少なくとも一部が配置される通風路と
を具備する光源装置。
（２）
前記（１）に記載の光源装置であって、
前記通風路は、前記回転体の領域のうち前記光照射領域とは異なる領域に冷却風が供給されるように構成されている
光源装置。
（３）
前記（２）に記載の光源装置であって、
前記回転体の領域のうち、前記回転軸を中心として、前記光照射領域からの回転角度９０°〜２７０°の領域のうち少なくとも一部の領域に面する空間を通る風量が最も多くなるように、前記通風路が構成されている
光源装置。
（４）
前記（２）に記載の光源装置であって、
前記回転体の領域のうち、前記回転軸に対して前記光照射領域と対向する領域に面する空間を通る風量が最も多くなるように、前記通風路が構成されている
光源装置。
（５）
前記（２）から（４）のうちいずれか１つに記載の光源装置であって、
前記光照射領域から出射した光が入射するレンズユニットをさらに具備し、
前記レンズユニットの一部が、前記通風路を形成する通風構造の一部として構成される
光源装置。
（６）
前記（２）から（５）のうちいずれか１つに記載の光源装置であって、
前記冷却風が前記回転体の回転方向に沿って供給されるように、前記通風路が構成されている
光源装置。
（７）
前記（１）から（６）のうちいずれか１項に記載の光源装置であって、
前記収容体の一部が、前記通風路を形成する通風構造の一部として構成される
光源装置。
（８）
前記（２）から（７）のうちいずれか１つに記載の光源装置であって、
前記通風路は、前記冷却風が前記回転体の少なくとも一部に供給される領域の前後にわたって直線状に構成されている
光源装置。
（９）
前記（１）から（８）のうちいずれか１つに記載の光源装置であって、
前記開口に対面するように、または前記開口内に配置された光拡散板をさらに具備する
光源装置。
（１０）
前記（１）から（９）のうちいずれか１つに記載の光源装置であって、
前記回転体は、前記光が入射する側の第１の面と、前記第１の面の反対側の第２の面とを有し、
前記回転軸方向における、前記通風路の前記第２の面側の幅が、前記回転軸方向における前記第１の面側の幅より広くなるように、前記通風路が構成されている
光源装置。
（１１）
前記（５）に記載の光源装置であって、
前記レンズユニットは、前記通風構造に着脱可能に構成されている
光源装置。
（１２）
光源と、前記光源からの光を集光位置に集光させる光学素子と、前記集光位置に開口を有し前記光源および前記光学素子を収容する収容体とを含む光源ユニットと、
前記集光位置に集光され前記開口を介して前記収容体外に出射された光が照射される光照射領域に配置された波長変換領域を有し、回転軸に対して回転可能に設けられた回転体と、
前記回転体の少なくとも一部が配置される通風路と、
前記通風路内へ冷却風を供給するファンと、
前記回転体の波長変換領域から出射された光を変調する光変調素子と、
前記光変調素子で変調されて得られる変調光を投射する投射光学系と
を具備するプロジェクタ。
【符号の説明】
【００７５】
１０…レンズユニット
３０…通風構造
３１…通風路部
３１ａ…通風路
３１ｂ…入口
３１ｃ…出口
４０…ホイールユニット
４１…ホイール
４２…ガラス基板
４３…蛍光体
５０…光源ユニット
５１…光源アセンブリ
５１ａ…光源
５１ｂ…基板
５２…拡散板
５３…平面ミラー
５５…非球面ミラー
５６…収容体
５６ａ…前カバー板
５６ｂ…開口
６０…ファン
８０…光学エンジン
１００…光源装置
２００…プロジェクタ
２０１…外筐
４００Ｒ、４００Ｇ、４００Ｂ…液晶ライトバルブ
６００…投射光学系
【図１】
2016133671.tif 000003
【図２】
2016133671.tif 000004
【図３】
2016133671.tif 000005
【図４】
2016133671.tif 000006
【図５】
2016133671.tif 000007
【図６】
2016133671.tif 000008